(57)【要約】【課題】編み物作品に関する情報を整理しやすく、使い勝手のよい編み物記録帳を提供すること。【解決手段】本発明の編み物記録帳Ａは、屈曲線を挟んで見開き状に開閉可能とされた２つのパネル１Ａ，１Ｂを各々が有する、複数の作品記録カード１と、複数の作品記録カード１をそれぞれの屈曲線１０を揃えて重ね合わせた状態で綴るための、開閉可能な複数のリングを有するカード綴り部と、を備え、作品記録カード１の２つのパネル１Ａ，１Ｂを構成する表裏４面のうち、少なくとも１つの面１２には編み物の作品情報の記録フォーマットが記載された作品情報欄１２１が設けられ、少なくとも他の１つの面には小物物品を収納可能な収納ポケットが設けられている。【選択図】図５
2019199071.tif 000002
【特許請求の範囲】
【請求項１】
屈曲線を挟んで見開き状に開閉可能とされた２つのパネルを各々が有する、複数の作品記録カードと、
上記複数の作品記録カードをそれぞれの上記屈曲線を揃えて重ね合わせた状態で綴るための、開閉可能な複数のリングを有するカード綴り部と、を備え、
上記作品記録カードの上記２つのパネルを構成する表裏４面のうち、少なくとも１つの面には編み物の作品情報の記録フォーマットが記載された作品情報欄が設けられ、少なくとも他の１つの面には小物物品を収納可能な収納ポケットが設けられている、編み物記録帳。
【請求項２】
上記収納ポケットは、上記２つのパネルにおける見開きの外側に設けられている、請求項１に記載の編み物記録帳。
【請求項３】
上記作品情報欄は、上記２つのパネルにおける見開きの内側に設けられている、請求項１または２に記載の編み物記録帳。
【請求項４】
上記作品記録カードの上記２つのパネルを構成する表裏４面のうち、少なくともさらに他の１つの面には、方眼が付されたデザイン記入欄が設けられている、請求項１ないし３のいずれかに記載の編み物記録帳。
【発明の詳細な説明】
【技術分野】
【０００１】
本発明は、編み物作品についての情報を記録するための記録帳に関する。
【背景技術】
【０００２】
編み物を行う際、作品についての情報をノート等に記録する場合がある。たとえば特許文献１には、編み物作品について記録するための編み物ノートが開示されている。同文献に記載された編み物ノートは、見開きの左右の面に方眼が付されており、左の面には当該方眼を利用して編みたい作品を製図し、右の面を用いて当該作品を作る際に曲線の割り出しを行うことが可能である。このように、編み物ノートの見開き左右２面を利用して、１つの作品についての情報を記録する。また、編み物ノートに記録する作品情報としては、たとえば作品が掲載された文献、作品のサイズ、使用する毛糸の種類、使用する針の種類・サイズ等、様々な情報がある。これら作品に関する情報を、１つの作品についてノートの見開き左右２面を用いて記録し、後の作品を編む際の参考にする場合もある。
【０００３】
しかしながら、上記従来の編み物ノートによれば、当該ノートに記録する作品数が増えると、内容を整理し辛くなる。したがって、後の作品を編む際に参考利用するうえで、改善の余地があった。
【先行技術文献】
【特許文献】
【０００４】
【特許文献１】実公昭６３−１３２６２号公報
【発明の概要】
【発明が解決しようとする課題】
【０００５】
本発明はこのような事情のもとで考え出されたものであって、編み物作品に関する情報を整理しやすく、使い勝手のよい編み物記録帳を提供することを主たる課題とする。
【課題を解決するための手段】
【０００６】
上記の課題を解決するため、本発明では、次の技術的手段を講じている。
【０００７】
本発明によって提供される編み物記録帳は、屈曲線を挟んで見開き状に開閉可能とされた２つのパネルを各々が有する、複数の作品記録カードと、上記複数の作品記録カードをそれぞれの上記屈曲線を揃えて重ね合わせた状態で綴るための、開閉可能な複数のリングを有するカード綴り部と、を備え、上記作品記録カードの上記２つのパネルを構成する表裏４面のうち、少なくとも１つの面には編み物の作品情報の記録フォーマットが記載された作品情報欄が設けられ、少なくとも他の１つの面には小物物品を収納可能な収納ポケットが設けられている。
【０００８】
好ましい実施の形態においては、上記収納ポケットは、上記２つのパネルにおける見開きの外側に設けられている。
【０００９】
好ましい実施の形態においては、上記作品情報欄は、上記２つのパネルにおける見開きの内側に設けられている。
【００１０】
好ましい実施の形態においては、上記作品記録カードの上記２つのパネルを構成する表裏４面のうち、少なくともさらに他の１つの面には、方眼が付されたデザイン記入欄が設けられている。
【００１１】
本発明のその他の特徴および利点は、添付図面を参照して以下に行う詳細な説明によって、より明らかとなろう。
【図面の簡単な説明】
【００１２】
【図１】本発明に係る編み物記録帳の一例を示す平面図である。
【図２】図１に示す編み物記録帳をシートごとに分離可能な状態とした図である。
【図３】作品記録カードについて見開きを閉じた状態で一方のパネルの外側を見た図である。
【図４】作品記録カードについて見開きを閉じた状態で他方のパネルの外側を見た図である。
【図５】作品記録カードについて見開きを開いた状態で内側を見た図である。
【図６】封筒シートの平面図である。
【発明を実施するための形態】
【００１３】
以下、本発明の好ましい実施の形態について、図面を参照して具体的に説明する。
【００１４】
図１〜図３は、本発明に係る編み物記録帳の一実施形態を示している。図１および図２に表れているように、本実施形態の編み物記録帳Ａは、複数の作品記録カード１と、チェックシート２と、封筒シート３と、説明書シート４と、表紙５と、裏表紙６と、複数のカードリング７と、を備えている。作品記録カード１、チェックシート２、封筒シート３、説明書シート４、表紙５および裏表紙６は、それぞれ平面視におけるサイズが同等程度の長矩形状とされており、図１における左端近傍においてカードリング７により一纏めに綴られている。
【００１５】
作品記録カード１は、編み物作品についての情報の記録等を行うためのものである。当該作品記録カード１は、１つの編み物作品について１枚のカードが使用される。図３、図４に示すように、各作品記録カード１は、屈曲線１０を挟んで見開き状に開閉可能とされた２つのパネル１Ａ，１Ｂを有する。当該２つのパネル１Ａ，１Ｂは、各々が長矩形状とされており、その短辺どうしが屈曲線１０に沿って折り曲げ可能につながっている。作品記録カード１は、たとえば厚手の紙製シート（たとえば画用紙等）により構成される。これらパネル１Ａ，１Ｂにおける屈曲線１０の近傍には、複数ずつ（本実施形態では２個ずつ）のリング穴１０１が形成されている。
【００１６】
図３〜図５に示すように、２つのパネル１Ａ，１Ｂは、その表裏において合計４つの面１１，１２，１３，１４が配されている。本実施形態において、図３に示すように、一方のパネル１Ａにおける見開きの外側の面１１には、収納ポケット１１１が設けられている。収納ポケット１１１は、パネル１Ａの周縁３辺に接続するシート１１２により、当該パネル１Ａとの間に袋状の収容空間が形成されたものである。この収納ポケット１１１には、比較的に厚みの小さい小物物品を収容可能である。当該収納ポケット１１１に収納される小物物品としては、たとえば試し編み素材や毛糸のラベル等が挙げられる。
【００１７】
図５に示すように、一方のパネル１Ａにおける見開きの内側の面１２には、作品情報欄１２１が設けられている。作品情報欄１２１は、編み物の作品に関する情報を記録するためのスペースである。作品情報欄１２１には、編み物の作品情報の記録フォーマットが印刷等の適宜手段により予め記載されている。当該作品情報としては、たとえば、使用した編み針や道具、参考書籍、作品デザイナー、作品ゲージ、使用した糸などが挙げられる。また、使用糸についてのより詳細な情報として、たとえば糸の名前、色番、ロット、使用量、実物サンプル貼付等を挙げることができる。なお、作品情報欄１２１に記載される具体的な作品情報については特に限定されるものではなく、編み物の作品情報の記録フォーマットとしては様々なバリエーションを採用し得る。
【００１８】
他方のパネル１Ｂにおける見開きの内側の面１３には、デザイン記入欄１３１が設けられている。デザイン記入欄１３１には方眼が付されており、当該デザイン記入欄１３１は、作品のイラストを描き込んだり、編み図や配色をメモするのに利用することができる。
【００１９】
図４に示すように、本実施形態において、他方のパネル１Ｂにおける見開きの外側の面１４には、デザイン記入欄１４１が設けられている。上記のデザイン記入欄１３１と同様にデザイン記入欄１４１には方眼が付されており、より多くの作品に関する情報を記入するのに利用することができる。
【００２０】
チェックシート２は、たとえば編み針やかぎ針などの編み物用具の保有状況を管理するためのものである。当該チェックリストが記載されたものである。詳細な図示説明は省略するが、チェックシート２には、たとえば編み針やかぎ針についてサイズや長さごとに管理できる一覧リストが記載されている。その他、編み物用具について管理するためのチェックが記載されていてもよい。なお、チェックシート２に記載される具体的内容は特に限定されるものではなく、チェックシート２の枚数も必要に応じて適宜増減することができる。
【００２１】
図６に示した封筒シート３は、メモ、レシートやショップカードなどを保管するためのものである。封筒シートは、図中上端が開口する袋状とされており、上端部につながるフラップ片３１を有する。また、における図中左端寄りには、複数（本実施形態では２個）のリング穴３０１が形成されている。図示説明は省略するが、説明書シート４は、本実施形態の編み物記録帳Ａの取り扱い方法を記載したものである。
【００２２】
図２に示した複数の作品記録カード１、チェックシート２、封筒シート３、および説明書シート４は、表紙５および裏表紙６の間に重ねられ、複数（本実施形態では２個）のカードリング７により冊子状にまとめられる。
【００２３】
カードリング７は、たとえば金属製の２つの半割リング７１，７２を有し、これらの端部どうしが回動可能に連結され、かつ開いた状態と閉じた状態とに切り換えることが可能に構成されている。カードリング７を上記複数の作品記録カード１、チェックシート２、封筒シート３、説明書シート４、表紙５および裏表紙６の各々に形成されたリング穴に通して閉じることにより、これらカードやシート類は一纏めに綴られる。このようなカードリング７は、本発明で言う開閉可能なリングに相当し、２個のカードリング７は本発明で言うカード綴り部を構成する。
【００２４】
次に、本実施形態の作用について説明する。
【００２５】
本実施形態の編み物記録帳Ａは、複数の作品記録カード１と、開閉可能な複数のカードリング７と、を備える。作品記録カード１は、屈曲線１０を挟んで見開き状に開閉可能とされた２つのパネル１Ａ，１Ｂを有する。このような構成によれば、これらパネル１Ａ，１Ｂを構成する表裏４面１１，１２，１３，１４を利用して、１つの編み物作品についての多くの情報を記録ないし保管することが可能である。
【００２６】
上記２つのパネル１Ａ，１Ｂを構成する表裏４面のうち、少なくとも１つの面１２には作品情報欄１２１が設けられており、当該作品情報欄１２１には編み物の作品情報の記録フォーマットが記載されている。このような構成によれば、各編み物作品に関する情報を効率よく整理して保有することが可能である。
【００２７】
また、上記２つのパネル１Ａ，１Ｂを構成する表裏４面のうち、少なくとも他の１つの面１１には小物物品を収納可能な収納ポケット１１１が設けられている。このような構成によれば、各編み物作品に関して、たとえば試し編み素材や毛糸のラベル等をまとめて保管することが可能である。
【００２８】
複数の作品記録カード１は、それぞれ屈曲線１０を揃えて重ね合わせた状態にて、開閉可能な複数のカードリング７により綴られている。このような構成によれば、１作品ごとの情報がまとめられた作品記録カード１について、編み物記録帳Ａに追加し、あるいは並べ替えることが可能である。したがって、複数の編み物作品に関する情報を整理して保管するのに適しており、使い勝手がよい。
【００２９】
本実施形態において、作品情報欄１２１は、２つのパネル１Ａ，１Ｂにおける見開きの内側の面１２に設けられている。このような構成によれば、作品情報欄１２１を見る際にパネル１Ａ，１Ｂの内側全体を見渡すことがき、情報の整理や確認を容易に行うことができる。また、本実施形態のように収納ポケット１１１が２つのパネル１Ａ，１Ｂにおける見開きの外側に設けられた構成によれば、収納ポケット１１１への物品の出し入れを容易に行うことができ、使い勝手がよい。
【００３０】
以上、本発明の具体的な実施形態を説明したが、本発明はこれに限定されるものではなく、発明の思想から逸脱しない範囲内で種々な変更が可能である。本発明に係る編み物記録帳の具体的な形状や材質なども、上記実施形態に限定されるものではない。
【００３１】
上記実施形態において、カード綴り部が複数のカードリング７により構成される場合について説明したが、本発明はこれに限定されない。カード綴り部については、いわゆるルーズリーフ式と同様に、支持体に開閉可能な複数のリングが支持された構成を採用してもよい。
【符号の説明】
【００３２】
Ａ        編み物記録帳
１        作品記録カード
１Ａ      パネル
１Ｂ      パネル
１０      屈曲線
１０１    リング穴
１１      外側の面
１１１    収納ポケット
１２      内側の面
１２１    作品情報欄
１３      内側の面
１３１    デザイン記入欄
１４      外側の面
１４１    デザイン記入欄
２        チェックシート
３        封筒シート
３０１    リング穴
３１      フラップ片
４        説明書シート
５        表紙
６        裏表紙
７        カードリング（開閉可能なリング）
７１      半割リング
７２      半割リング
【図１】
2019199071.tif 000003
【図２】
2019199071.tif 000004
【図３】
2019199071.tif 000005
【図４】
2019199071.tif 000006
【図５】
2019199071.tif 000007
【図６】
2019199071.tif 000008